(57)【要約】【課題】  プロジェクトの進行状況をプロジェクトマネージャの主観によらず、客観的に評価できるプロジェクト管理装置を提供する。【解決手段】  文書管理ＤＢ２１０に登録されたアウトプット文書をプロジェクト管理指標ＤＢ１６０に予め登録された管理指標に基づいて評価し、かつその評価結果に類似する評価結果及び類似する評価結果が導出されたプロジェクトにおいて取られた対策をプロジェクト評価結果ＤＢ１７０から読み出し、プロジェクトが直面する問題に対する対策をプロジェクトマネージャに提供し、プロジェクトマネージャは、その評価結果及び提案を利用してプロジェクトの現状把握、意思決定を行うことができる。よって、プロジェクトマネージャは、プロジェクトの進捗状況をプロジェクトマネージャの主観に依らず、客観的に評価できる。【選択図】  図２
2006235872.tif 000002
【特許請求の範囲】
【請求項１】
プロジェクトの進捗状況を評価するプロジェクト進捗状況評価手段を有するプロジェクト管理装置において、
前記プロジェクトを評価する管理指標を記憶するプロジェクト管理指標データベースと、
前記プロジェクト進捗状況評価手段による前記プロジェクトの評価結果と前記評価結果を受けた前記プロジェクトの作業実績とを関連づけて記憶するプロジェクト評価結果データベースとを有し、
前記プロジェクト進捗状況評価手段は、
前記プロジェクトの遂行時に参照・作成された文書を収集する収集手段と、
前記収集手段によって収集された前記文書を前記プロジェクト管理指標データベースに記憶された前記管理指標により評価する評価手段と、
前記評価手段による前記評価結果に類似する前記評価結果と前記作業実績とを前記プロジェクト評価結果データベースから読み出す読出手段と、
前記読出手段によって読み出された前記作業実績から前記プロジェクトが取るべき対策を決定する決定手段とを有することを特徴とするプロジェクト管理装置。
【請求項２】
前記文書の空の実体を管理するプロジェクト情報管理データベースと、
前記文書の空の実体を前記プロジェクト情報管理データベースに登録するプロジェクト進捗登録手段とを有し、
前記プロジェクト進捗状況評価手段は、
前記プロジェクトの進捗状況を評価するとき、前記プロジェクト情報管理データベースに登録された前記文書の空の実体を取得する取得手段を有し、
前記収集手段は、前記取得手段によって取得された前記文書の空の実体を利用して前記文書を収集することを特徴とする請求項１記載のプロジェクト管理装置。
【請求項３】
前記作業実績は、前記評価結果を受けて前記プロジェクトに講じられた対策であり、
前記決定手段は、最も多く採用された前記対策を前記プロジェクトが採用すべき対策に決定することを特徴とする請求項１又は２記載のプロジェクト管理装置。
【請求項４】
前記作業実績は、前記評価結果を受けて前記プロジェクトに講じられた対策の成績であり、
前記決定手段は、最も成績がよい前記対策を前記プロジェクトが採用すべき対策に決定することを特徴とする請求項１又は２記載のプロジェクト管理装置。
【請求項５】
前記成績は、前記対策の成功及び失敗に係る情報であり、
前記決定手段は、前記対策の成功率を算出し、前記成功率が高い前記対策を前記プロジェクトが採用すべき対策に決定することを特徴とする請求項４記載のプロジェクト管理装置。
【発明の詳細な説明】
【技術分野】
【０００１】
本発明は、プロジェクトの進行状況をプロジェクトマネージャの主観によらず、客観的に評価できるプロジェクト管理装置に関する。
【背景技術】
【０００２】
近年、各種製品の機能の増加に伴いソフトウェアの規模が増大している。一方では、製品を世の中に出すまでの開発期間の短縮が求められている。そのため、ソフトウェアなどの製品の開発には、開発者のスキル、生産ラインの生産性の向上が期待されている。さらには、各製品の開発を担う各プロジェクトにも、そのプロジェクトの管理方法の向上による、製品の品質の向上及び効率化が求められている。
【０００３】
一般に、プロジェクトでは、まず実行すべき作業内容と手順が定義された方法論が作成される。プロジェクト要員は、その方法論に従い、共同して作業を進行する。複数の要員は、プロジェクトを管理する管理者（プロジェクトマネージャ等）によって、それぞれが担当する作業が割り当てられ、また作業の進行等が調整される。したがって、管理者はプロジェクトの進行を客観的な立場から評価し、各プロジェクト要員に指示を与えなければならない。
【０００４】
具体的には、管理者には、進行中のプロジェクトの状況を正確に把握し、その状況に応じて迅速に対応できるプロジェクトの管理能力が必要とされている。また、上述したように、プロジェクトの管理方法も個人の主観に委ねるのではなく、客観的な立場からプロジェクトを評価し、その進行の効率化を図ることが必要とされている。
【０００５】
プロジェクトを管理する際の指標としては、スケジューリング、コスト、製品の品質、開発者のスキル、リスク管理等が挙げられ、これらを適切に管理することが重要である。
【０００６】
特許文献１では、プロジェクトの遂行時に参照される参照文書と作成されるアウトプット文書を管理する文書管理データベースと、プロジェクトの計画時に、プロジェクトの各工程で作成すべき前記アウトプット文書の空の実体を前記文書管理データベースへ登録し、この登録した空の実体および前記参照文書へのリンク情報を前記工程と関連づけて登録し、プロジェクトの進行状況を管理するプロジェクト情報管理データベースとを有するプロジェクト管理システム、プログラム、及び記録媒体が提案されている。
【０００７】
特許文献２では、上位管理者が予定コスト／期間を超過する兆候のあるプロジェクトを早期に検出し、プロジェクトの状態の経緯を用いてプロジェクトの現状をよりよく理解し、プロジェクト管理者、上位管理者が有効な対策方法であるプロジェクト管理ノウハウを再利用することにより、プロジェクトの状態チェック及び対策作業を高利化させることができるプロジェクト管理システムが提案されている。
【特許文献１】特開２００３−１４１３２０号公報
【特許文献２】特開２００３−１９６４４７号公報
【発明の開示】
【発明が解決しようとする課題】
【０００８】
しかし、上記の発明は以下の問題を有している。
【０００９】
特許文献１記載のプロジェクト管理システム、プログラム、及び記録媒体は、プロジェクトで作成される文書をプロジェクトの進行管理と連動させることにより、プロジェクトにおける文書作成の管理の容易化を図っているが、各プロジェクトの進行を客観的に評価し、その状況に応じた情報等を提供することはできない。
【００１０】
特許文献２記載のプロジェクト管理システムは、上位管理者が予定コスト／期間を超過する兆候のあるプロジェクトを早期に検出し、プロジェクトの状態の経緯を用いてプロジェクトの現状をよりよく理解し、プロジェクト管理者、上位管理者が有効な対策方法であるプロジェクト管理ノウハウを再利用することにより、プロジェクトの評価を行っているが、その評価は該プロジェクトを管理するプロジェクトマネージャの主観によるところが大きく、かつプロジェクトの進行状況を迅速に把握し、その状況に応じた情報を収集することができない。
【００１１】
また、一般に市販されているプロジェクト管理ツールでは、スケジュールに対する差異分析、プロジェクトマネージャの主観による段階的な評価によりプロジェクトを評価するものが多く、プロジェクトを様々な側面から客観的に評価することはできない。
【００１２】
さらに、プロジェクトマネージャもプロジェクトを客観的に評価するための使用を有さず、過去のプロジェクトで得られた勘と経験に基づいて管理を行っている。同様に上級マネージャがプロジェクトの状況を正確にかつ客観的に把握できる手段もなかった。
【００１３】
そこで、本発明は、文書管理ＤＢに登録されたアウトプット文書をプロジェクト管理指標ＤＢに予め登録された管理指標に基づいて評価し、かつその評価結果に類似する評価結果及び類似する評価結果が導出されたプロジェクトにおいて取られた対策をプロジェクト評価結果ＤＢから読み出し、プロジェクトが直面する問題に対する対策をプロジェクトマネージャに提供し、プロジェクトの状況をプロジェクトマネージャの主観に依らず、客観的に評価できるプロジェクト管理システムを提供することを目的としている。
【課題を解決するための手段】
【００１４】
請求項１記載の発明は、プロジェクトの進捗状況を評価するプロジェクト進捗状況評価手段を有するプロジェクト管理装置において、前記プロジェクトを評価する管理指標を記憶するプロジェクト管理指標データベースと、前記プロジェクト進捗状況評価手段による前記プロジェクトの評価結果と前記評価結果を受けた前記プロジェクトの作業実績とを関連づけて記憶するプロジェクト評価結果データベースとを有し、前記プロジェクト進捗状況評価手段は、前記プロジェクトの遂行時に参照・作成された文書を収集する収集手段と、前記収集手段によって収集された前記文書を前記プロジェクト管理指標データベースに記憶された前記管理指標により評価する評価手段と、前記評価手段による前記評価結果に類似する前記評価結果と前記作業実績とを前記プロジェクト評価結果データベースから読み出す読出手段と、前記読出手段によって読み出された前記作業実績から前記プロジェクトが取るべき対策を決定する決定手段とを有することを特徴とする。
【００１５】
請求項２記載の発明は、請求項１記載のプロジェクト管理装置において、前記文書の空の実体を管理するプロジェクト情報管理データベースと、前記文書の空の実体を前記プロジェクト情報管理データベースに登録するプロジェクト進捗登録手段とを有し、前記プロジェクト進捗状況評価手段は、前記プロジェクトの進捗状況を評価するとき、前記プロジェクト情報管理データベースに登録された前記文書の空の実体を取得する取得手段を有し、前記収集手段は、前記取得手段によって取得された前記文書の空の実体を利用して前記文書を収集することを特徴とする。
【００１６】
請求項３記載の発明は、請求項１又は２記載のプロジェクト管理装置において、前記作業実績は、前記評価結果を受けて前記プロジェクトに講じられた対策であり、前記決定手段は、最も多く採用された前記対策を前記プロジェクトが採用すべき対策に決定することを特徴とする。
【００１７】
請求項４記載の発明は、請求項１又は２記載のプロジェクト管理装置において、前記作業実績は、前記評価結果を受けて前記プロジェクトに講じられた対策の成績であり、前記決定手段は、最も成績がよい前記対策を前記プロジェクトが採用すべき対策に決定することを特徴とする。
【００１８】
請求項５記載の発明は、請求項４記載のプロジェクト管理装置において、前記成績は、前記対策の成功及び失敗に係る情報であり、前記決定手段は、前記対策の成功率を算出し、前記成功率が高い前記対策を前記プロジェクトが採用すべき対策に決定することを特徴とする。
【発明の効果】
【００１９】
本発明は、文書管理ＤＢに登録されたアウトプット文書をプロジェクト管理指標ＤＢに予め登録された管理指標に基づいて評価し、かつその評価結果に類似する評価結果及び類似する評価結果が導出されたプロジェクトにおいて取られた対策をプロジェクト評価結果ＤＢから読み出し、プロジェクトが直面する問題に対する対策をプロジェクトマネージャに提供し、プロジェクトマネージャは、その評価結果及び提案を利用してプロジェクトの現状把握、意思決定を行うことができる。よって、プロジェクトマネージャは、プロジェクトの進捗状況をプロジェクトマネージャの主観に依らず、客観的に評価できる。
【発明を実施するための最良の形態】
【００２０】
以下に本発明の一実施形態に係るプロジェクト管理装置に構成及び動作について説明する。
【００２１】
まず、本実施形態に係るプロジェクト管理装置の説明に使用する用語を定義する。
【００２２】
プロジェクトとは、期間と結果が規定されていて、それを満たすことを目標とした行動／行為である。
【００２３】
タスクとは、プロジェクトを構成する論理的な作業の単位を表す。タスクは、分割して小さなタスクにすることができる。
【００２４】
ジョブは、タスクをさらに分割したものであり、実質的な作業の最小単位を表す。ジョブは、分割することができない。また、１タスクが１ジョブを表すこともある。タスクおよびジョブを工程と呼ぶこともある。
【００２５】
プロジェクトマネージャは、プロジェクト全体のタスク／ジョブを管理する管理者である。
【００２６】
タスクリーダは、プロジェクトマネージャによって割り当てられたタスク／ジョブを管理する管理者である。
【００２７】
（作業）要員は、タスク／ジョブを担当する作業者である。
【００２８】
参照文書は、タスク／ジョブの作業上必要な標準、手順書、設計文書等であり、前工程のタスク／ジョブからのアウトプット文書や類似プロジェクトの成果物としての文書が含まれる。
【００２９】
アウトプット文書（成果物）は、タスク／ジョブの作業結果として作成される文書であり、プロジェクトの成果物でもある。上記参照文書を参照してアウトプット文書を作成することもある。または、類似プロジェクトの成果物を流用して作成することもある。
【００３０】
（１）本システムの概略
図１は、本実施形態に係るプロジェクト管理装置が接続されるシステムの概略を説明するためのブロック図である。図１に示すシステムは、プロジェクト管理装置１００と文書管理装置２００とからなるプロジェクト管理センタ７００と、プロジェクトの管理を行うプロジェクトマネージャや実際の作業を行う作業要員のいる事業所３００、サテライトオフィス４００や開発委託会社５００の所有するコンピュータとをインターネットやイントラネット等からなるネットワーク６００で接続している。
【００３１】
これらの事業所３００、サテライトオフィス４００、及び開発委託会社５００は、プロジェクトの規模や要員のいる場所等によって１つ以上存在し、プロジェクト管理センタ７００と接続されており、このプロジェクト管理センタ７００によってプロジェクトで開発される文書や進捗状況の管理が行われる。
【００３２】
本実施形態に係るプロジェクト管理装置１００は、プロジェクトの進捗状況および各タスク／ジョブで作成される文書とスケジュールとを関連付けて管理し、文書管理装置２００はプロジェクトで作成される文書および参照する参照文書等を管理する。
【００３３】
また、プロジェクト管理装置１００や文書管理装置２００は、プロジェクト管理センタ７００の１箇所だけに設置するのではなく、事業所３００、サテライトオフィス４００や開発委託会社５００のいずれかまたはそれぞれに存在してもよい。この場合には、文書管理装置２００で管理される文書は、事業所３００、サテライトオフィス４００や開発委託会社５００で作成されるものだけであり、参照は、そのアクセス権限のある要員であれば、他からも参照できるようにする。プロジェクト管理装置１００も同様に設置されるが、そのプロジェクト全体を統合して進捗管理するプロジェクト管理装置１００も備えなければならない。
【００３４】
また、プロジェクト管理センタ７００をＡＳＰ（アプリケーション・サービス・プロバイダ）に設置した場合には、各装置（１００、２００）は１箇所に存在するだけでよいので、プロジェクトを立ち上げるまでおよびその進捗に際しての煩雑さが減少する。
【００３５】
以下、プロジェクト管理センタ７００を１箇所に設置し、事業所３００、サテライトオフィス４００や開発委託会社５００からそれぞれ端末によってそのＡＳＰにアクセスするものとして本システムを説明する。
【００３６】
図２は、本実施形態に係るプロジェクト管理装置１００の機能構成を示すブロック図である。
【００３７】
図２において、プロジェクト管理装置１００は、少なくともプロジェクト定義手段１１０、プロジェクト情報管理ＤＢ（データベース）１２０、プロジェクトテンプレートＤＢ（データベース）１３０、プロジェクト進捗登録手段１４０、プロジェクト進捗状況評価手段１５０、及びプロジェクト管理指標ＤＢ１６０、プロジェクト評価結果ＤＢ１７０を有して構成される。
【００３８】
また、文書管理装置２００は、文書管理ＤＢ（データベース）２１０を備えて、このプロジェクト管理装置１００で管理される文書群の内容（実体）を登録管理する。この文書管理ＤＢ２１０は、プロジェクト情報管理ＤＢ１２０のタスク／ジョブで参照される参照文書やアウトプット文書からリンクできるのであれば、データベース管理システム、ファイルサーバまたはＷｅｂ上に格納された情報のいずれであってもよい。
【００３９】
（２）プロジェクトの定義
プロジェクト定義手段１１０は、図３に示すような画面から入力されたプロジェクトの一般的事項（プロジェクト名、プロジェクトマネージャ名、プロジェクトの開始日、終了日、使用テンプレート等）により、プロジェクトを定義する。
【００４０】
通常、ソフトウェア等の商品開発では、企画、設計、プログラミング、テスト等の決まった工程があり、各工程には、参照文書として、参照すべき標準、手順書、前工程の設計文書がある。各工程で作成されるアウトプット文書には、次工程に必要な手順書、設計文書が発生する。例えば、プロジェクト経験の浅いマネージャは、ソフトウェアの開発の工程、各工程に必要な文書や文書間の関係等に熟知していない部分がある。こうした問題は、プロジェクトの遅れを発生させる要因となる。そのため、例えば、ソフトウェアの開発プロジェクトであれば、「パッケージソフトウェア開発」、「個別受注ソフトウェア開発」等に対して、タスク（大きな工程）、タスクごとに必要な参照文書、アウトプット文書、参照する手順書・標準書等が定義されているテンプレートを利用して、経験差によるプロジェクトの遅延等のリスクを最小限にすることができる。これらのテンプレートには、ソフトウェア開発だけでなく建築や機械の開発、販売戦略等のような種々のプロジェクトの開発工程とその開発手順やその結果作成される文書群を定義するためのテンプレートが幾つか用意されている。また、このテンプレートはプロジェクトに応じて新規にもまたカスタマイズすることもできる。
【００４１】
プロジェクトの定義時点で、プロジェクトテンプレートＤＢ１３０から今回実施するプロジェクトに類似したテンプレートを選ぶことによって、そのテンプレートに定義されているタスクおよびそのスケジュールがプロジェクト情報管理ＤＢ１２０に作成される。ここで作成される文書は、書誌事項データ（例えば、文書名、作成者名、部署名、作成日時、完了日時、進行状況、修正日、配布先、文書ファイルリスト等）だけで実体が空の文書を文書管理ＤＢ２１０へ登録する。ここで文書ファイルリストは、文書の内容を格納したファイル（テキスト、図形、イメージ等を格納している）を示すものであり、当初は空とする。また、ここに登録された文書へのリンク情報を各タスク／ジョブと関連付けてプロジェクト情報管理ＤＢ１２０へ登録する。
【００４２】
さらに、展開された各タスクで作成される文書やその文書を作成するときに参照する参照文書（要求仕様書、設計仕様書、ソースコード量、成果物の品質、テストの消化数、ソフトウェアの欠陥発見数、要員のスキル、工数、コスト等）は、その実体が登録されている文書管理装置２００の文書管理ＤＢ２１０へのリンク情報を各タスク／ジョブと関連付けてプロジェクト情報管理ＤＢ１２０へ登録する。
【００４３】
また、プロジェクト定義手段１１０は、先に選択したテンプレートによって、プロジェクトに必要なデフォルトの文書（参照文書およびアウトプット文書）が作成するが、タスク／ジョブの展開に応じて修正、追加して、必要なアウトプット文書とそれに関連した参照文書とを定義する。それらの文書が類似プロジェクトからの流用や前工程でのアウトプット文書のときには、その文書の実体へのリンク情報をプロジェクト情報管理ＤＢ１２０の該当するタスクまたはジョブへ関連付けて登録する。また、新たにアウトプット文書として作成する場合には、文書管理ＤＢ２１０へ書誌事項データとその空の実体とを登録し、その登録した文書へのリンクをプロジェクト情報管理ＤＢ１２０の該当するタスクまたはジョブへ関連付けて登録する。
【００４４】
以上のようにして、プロジェクト定義手段１１０は、プロジェクトが計画されたときにそのプロジェクトで作成すべき文書の計画も作成するので、プロジェクトの計画段階からその進捗状況が一覧できるようになり、プロジェクト管理が容易に行える。
【００４５】
上述したジョブ／タスクで作成または参照される文書へのアクセス権限範囲（参照のみ、参照および書き込み可、複写可等）をプロジェクトの各要員の役割に与えられる権限としてプロジェクト情報管理ＤＢ１２０へ格納する。各要員が文書管理ＤＢ２１０に登録された文書へアクセスする際には、その要員の役割に基づいてプロジェクト情報管理ＤＢ１２０を調べ、許容された権限内でその文書へアクセスを許すようにする。このアクセス権が文書内容を管理する文書管理ＤＢ２１０の各文書に設定されているのではなくプロジェクト管理情報として設定されているので、作業要員が交代したときにも文書管理ＤＢ２１０のアクセス権を変更する必要がない。
【００４６】
（３）プロジェクトの進捗
作業要員は、後述する担当分のプロジェクト進捗状況を表示させて、進捗を確認しながら、参照文書の内容を確認してアウトプット文書を作成する。プロジェクト進捗登録手段１４０は、文書管理ＤＢ２１０の参照文書またはプロジェクトテンプレートＤＢ１３０から該当する手順書／関連資料の雛形または類似プロジェクトから既存文書を流用して作成されたアウトプット文書を文書管理ＤＢ２１０へ登録する。
【００４７】
作業要員は、担当分の進捗と文書の実績をプロジェクト情報ＤＢ１２０へ登録する。また、計画外に作成した文書も、その都度、対応するジョブのアウトプット文書として登録する。
【００４８】
（４）プロジェクト進捗状況の評価
プロジェクト進捗状況評価手段１５０は、文書管理ＤＢ２１０に登録された参照文書及びアウトプット文書をプロジェクト管理指標ＤＢ１６０に予め登録された管理指標に基づいて評価し、かつその評価結果に類似する評価結果及び類似する評価結果が導出されたプロジェクトにおいて取られた対策をプロジェクト評価結果ＤＢ１７０から読み出し、プロジェクトが直面する問題に対する対策をプロジェクトマネージャに提供する。プロジェクトマネージャは、その評価結果及び提案を利用してプロジェクトの現状把握、意思決定を行う。
【００４９】
また、本実施形態に係るプロジェクト管理装置によれば、管理指標によりプロジェクトの評価を実行し、かつプロジェクト評価結果ＤＢ１７０に過去のプロジェクト評価結果及びその対策がプロジェクト評価結果ＤＢ１７０に保存されるため、プロジェクトを評価するためのデータ及び知識がプロジェクトの評価を行う度に蓄積される。よって、多くの評価を行うことにより、より適切にプロジェクトに発生した問題に対する対策を提供することができる装置へと進化させることができる。
【００５０】
ここで、プロジェクト進捗状況評価手段１５０によってプロジェクトの進捗状況を評価する具体的な処理について図４及び５を用いて説明する。
【００５１】
上述したように、本実施形態に係るプロジェクト管理装置１００は、プロジェクト評価結果ＤＢ１７０に過去のプロジェクトの評価結果を全て保存している。
【００５２】
プロジェクトマネージャは、プロジェクトを進行する上で、ある問題に対して複数の選択肢の中からプロジェクトとしての選択を迫られることがある。その際、本実施形態に係るプロジェクト管理装置１００は、プロジェクトマネージャに代わって、その問題に対する最適な選択を自動的に導出する。
【００５３】
例えば、あるリスクに対する対策を実施する際に、対策として対策Ａ、対策Ｂ、対策Ｃが考えられるとする。プロジェクト管理装置１００は、それらの対策の中から最適と思われる対策を自動的に選択し、プロジェクトマネージャに提示する。その際、自動的に選択する際の基準として、過去のデータを参照することが特徴である。
【００５４】
ネットワークを通じてプロジェクト管理センタ７００が事業所３００、サテライトオフィス４００、又は開発委託会社５００からプロジェクトの評価要求を受けると、プロジェクト管理装置１００はプロジェクトの評価を開始する。まず、プロジェクト進捗状況評価手段１５０は、事業所３００、サテライトオフィス４００、又は開発委託会社５００の役割に基づいてプロジェクト管理ＤＢ１２０に格納されているプロジェクト管理情報を取得し（ステップＳ４０１）、該プロジェクト管理情報に基づいて文書管理ＤＢ２１０に管理されている文書（参照文書、アウトプット文書）へのアクセスを許可する（ステップＳ４０２）。次に、プロジェクト進捗状況評価手段１５０は、プロジェクト管理指標ＤＢ１６０からプロジェクトの評価に用いる管理指標を読み出し（ステップＳ４０３）、該管理指標に基づいてアクセスが許可された文書に係るプロジェクトの評価を実行する（ステップＳ４０４）。プロジェクトの評価が終了すると、プロジェクト進捗状況評価手段１５０は、その評価結果に類似する過去の評価結果をプロジェクト評価結果ＤＢ１７０から読み出す（ステップＳ４０５）。その際、過去の評価結果が導かれたプロジェクトに講じられた対策も同時に読み出される。次に、プロジェクト進捗状況評価手段１５０は、読み出された過去の評価結果に対して最も多く採用された対策を検出し、その対策及び評価結果を事業所３００、サテライトオフィス４００、又は開発委託会社５００に提供する（ステップＳ４０６）。
【００５５】
具体的には、評価結果に類似する過去の評価結果に応じて講じられた対策が複数あったとする（例えば、表１に示す対策があったとする）。プロジェクト進捗状況評価手段１５０は、対策ＡからＣの各対策の採用回数をカウントし、最も多く採用されている対策を提案する。表１によれば対策Ｂが最も多く採用されているため、対策Ｂが提案される。本処理によれば、選択肢Ｃのような、採用実績が少なく信頼性が保証できないような選択肢を排除することができる。
【００５６】
【表１】
2006235872.tif 000003
【００５７】
最後に、プロジェクト進捗状況評価手段１５０は、提供した評価結果及び対策をプロジェクト評価結果ＤＢ１７０に格納する（ステップＳ４０７）。
【００５８】
なお、図４に示す処理においては、プロジェクト進捗状況評価手段１５０は、例えば表１において、最も多く採用されている対策が事業所３００、サテライトオフィス４００、又は開発委託会社５００に提案されている。しかし、プロジェクト管理装置１００がある問題に対する対策を講じたプロジェクトの動向を監視し、その結果（成功又は失敗）に係る情報を評価結果及び対策に付加してプロジェクト評価結果ＤＢ１７０に格納しておく。そして、プロジェクト進捗状況評価手段１５０が対策を提案する際に（図４に示すステップＳ４０６）、読み出された過去の評価結果に対して講じられた各対策の成功率を算出し、成功率の高い対策を提案する構成としてもよい。
【００５９】
例えば、対策Ａは２つのプロジェクトで選択され、１つが成功しているので、選択肢Ａを選択した場合の成功率は５０％である。同様に対策Ｂは３３５、対策Ｃは１００％である。この場合、対策Ｃが最も高い成功率であり、プロジェクト管理装置１００は、この対策を事業所３００、サテライトオフィス４００、又は開発委託会社５００に対して提案する。本処理によれば、プロジェクト管理装置１００は最も成功確率の高い対策を提案することができる。
【図面の簡単な説明】
【００６０】
【図１】本実施形態に係るプロジェクト管理装置が接続されたシステムの構成を示すブロック図である。
【図２】本実施形態に係るプロジェクト管理装置の構成を示すブロック図である。
【図３】プロジェクト定義の入力画面例である。
【図４】プロジェクト進捗状況を評価する処理のフローチャートである。
【符号の説明】
【００６１】
１００    プロジェクト管理装置
１１０    プロジェクト定義手段
１２０    プロジェクト情報管理ＤＢ
１３０    プロジェクトテンプレートＤＢ
１４０    プロジェクト進捗登録手段
１５０    プロジェク進捗状況評価手段
１６０    プロジェクト管理指標ＤＢ
１７０    プロジェクト評価結果ＤＢ
２００    文書管理装置
２１０    文書管理ＤＢ
３００    事業所
４００    サテライトオフィス
５００    開発委託会社
６００    ネットワーク
７００    プロジェクト管理センタ
【図１】
2006235872.tif 000004
【図２】
2006235872.tif 000005
【図３】
2006235872.tif 000006
【図４】
2006235872.tif 000007